(57)【特許請求の範囲】
【請求項１】
扱胴を内蔵した扱室と、穀稈を前記扱胴に沿って移送するフィードチエンと、前記扱胴による脱穀物を選別する二番物受け樋付き選別機構と、前記フィードチエンにて移送中の穀稈を前記扱室内への穀稈入り口に誘導する穀稈供給ガイド板と、前記二番物受け樋の二番物を移送する二番物移送手段とから成る脱穀機において、
前記二番物移送手段の終端から受け継いだ二番物を前記フィードチエンによる穀稈の移送方向に沿って前記穀稈入り口に向かって移送するようにした二番物送り込み移送手段を、前記穀稈供給ガイド板における上面のうち前記フィードチエンにて移送される穀稈の穂先側の部位に設けたことを特徴とする脱穀機における二番物還元処理装置。
【請求項２】
前記請求項１の記載において、前記二番物送り込み手段における前記二番物移送手段の終端に対する接続部を、前記二番物移送手段の終端と略同じ高さの部位に位置するか、或いは、前記二番物移送手段の終端より低い部位に位置することを特徴とする脱穀機における二番物還元処理装置。
【請求項３】
前記請求項１又は２の記載において、前記二番物送り込み手段を、回転するスクリュー羽根軸を有するスクリューコンベアに構成して、このスクリュー羽根軸に、前記フィードチエンにて移送される穀稈の穂先が接触するように構成したことを特徴とする脱穀機における二番物還元処理装置。
【請求項４】
前記請求項３の記載において、前記スクリュー羽根軸における先端部の直径を、先細テーパ状に小径にしたことを特徴とする脱穀機における二番物還元処理装置。
【請求項５】
前記請求項３又は４の記載において、前記スクリュー羽根軸を、前記扱胴の軸線方向から見て、これに接触する前記穀稈の穂先を前記穀稈供給ガイド板に対して押さえる方向に回転することを特徴とする脱穀機における二番物還元処理装置。
【発明の詳細な説明】
【０００１】
【発明の属する技術分野】
本発明は、コンバインの脱穀機又は定置式の脱穀機において、その脱穀物の選別に際して二番物受け樋から排出される二番物を、再度脱穀処理するため処理装置に関するものである。
【０００２】
【従来の技術】
二番受け樋から排出される二番物は、脱穀物に対する揺動選別機構に還元して処理するのが一般的であったが、この方式では、二番物を再度脱穀処理することができないので、最近においては、前記二番受け樋から排出される二番物を、例えば、実開昭６２−１８４４２０号公報等に記載されているように、扱室に送って、この扱室内における脱穀用扱胴にて再度脱穀処理するか、或いは、例えば、実開平３−９１７３１号公報等に記載されているように、前記扱胴とは別に設けた処理胴に送って、この処理胴にて再度脱穀処理するようにしている。
【０００３】
【発明が解決しようとする課題】
しかし、前者の場合、従来は、前記二番物受け樋からの二番物還元移送手段の終端を、扱室に、当該扱室内に直接的に連通するように接続するという構成しているが、前記扱室内には、扱胴の回転により強い風が発生していて、この強い風のために二番物の扱室内への導入が妨げられるから、扱室内への二番物の還元口に二番物による詰まりが発生するおそれが大きいばかりか、扱室への二番物の還元口は、扱室からの排塵口に近い部位に設けられているから、前記二番物は、処理胴にて充分に脱穀処理されたまま扱室から排出するという問題があった。
【０００４】
また、後者のように、扱胴とは別に処理胴を設けることは、これだけ脱穀機の構造が複雑化することに加えて、大幅な大型化及び重量の増加を招来するばかりか、動力の損失も増大するという問題があった。
【０００５】
本発明は、これらの問題を解消した二番物の処理装置を提供することを技術的課題とするものである。
【０００６】
【課題を解決するための手段】
この技術的課題を達成するため本発明は、
「扱胴を内蔵した扱室と、穀稈を前記扱胴に沿って移送するフィードチエンと、前記扱胴による脱穀物を選別する二番物受け樋付き選別機構と、前記フィードチエンにて移送中の穀稈を前記扱室内への穀稈入り口に誘導する穀稈供給ガイド板と、前記二番物受け樋の二番物を移送する二番物移送手段とから成る脱穀機において、
前記二番物移送手段の終端から受け継いだ二番物を前記フィードチエンによる穀稈の移送方向に沿って前記穀稈入り口に向かって移送するようにした二番物送り込み移送手段を、前記穀稈供給ガイド板における上面のうち前記フィードチエンにて移送される穀稈の穂先側の部位に設ける。」
という構成にした。
【０００７】
【発明の作用・効果】
このように、二番物移送手段の終端から受け継いだ二番物を前記フィードチエンによる穀稈の移送方向に沿って穀稈入り口に向かって移送するようにした二番物送り込み移送手段を設けることにより、二番物を、扱室内に、この二番物送り込み移送手段にて当該扱室内への穀稈入り口より送り込むことができるから、この二番物を扱室内に還元することを円滑に確実に行うことができると共に、二番物の扱室内への還元に際して二番物による詰まりが発生するおそれを確実に低減できる。
【０００８】
しかも、二番物を、扱室内への穀稈入り口に還元するもので、この扱室内への穀稈入り口は、扱室からの排塵口から遠い箇所に位置していることにより、二番物の処理を、前記従来のように、そのための処理胴を扱胴とは別に設けることなく、脱穀のための扱胴を利用して確実に行うことができる。
【０００９】
しかも、前記二番物送り込み移送手段を、穀稈供給ガイド板における上面のうちフィードチエンにて移送される穀稈の穂先側の部位に設けたことにより、フィードチエンにて扱室内に移送される穀稈の穂先から分かれた藁屑等を、前記二番物送り込み移送手段にて、二番物と一緒に扱室内に送り込むことができ、前記穀稈供給ガイド板の上面に、穀稈の穂先から分かれた藁屑等が堆積することを確実に防止できる。
【００１０】
従って、本発明によると、二番物の脱穀処理を、構造の複雑化、ひいては、大型化及び重量のアップ、更には、動力の損失の増大を招来することなく、連続して確実に達成することができると共に、二番物の脱穀処理を利用して、扱室への穀稈入り口に藁屑等による詰まりが発生することを確実に低減できる効果を有する。
【００１１】
特に、前記二番物受け樋から二番物移送手段にて移送されて来る二番物を、この二番物移送手段の終端から前記二番物送り込み移送手段に受け継ぐ場合に、請求項２に記載したように、二番物送り込み手段における二番物移送手段の終端に対する接続部を、二番物移送手段の終端と略同じ高さの部位に位置するか、或いは、二番物移送手段の終端より低い部位に位置することにより、前記した二番物の受け継ぎを、確実、且つ、円滑に行うことができて、この部分に詰まりが発生することを確実に低減できる利点かある。
【００１２】
また、請求項３に記載したように、前記二番物送り込み手段を、回転するスクリュー羽根軸を有するスクリューコンベアに構成して、このスクリュー羽根軸に、フィードチエンにて移送される穀稈の穂先が接触するように構成することにより、フィードチエンにて移送される穀稈の穂先を、前記二番物送り込み手段によっても、扱室の方向に移送することができ、換言すると、フィードチエンによる穀稈に、穂先の移送遅れによる搬送姿勢の乱れが発生することを確実に低減できる。
【００１３】
この場合において、請求項４に記載したように、前記スクリュー羽根軸における先端部の直径を、先細テーパ状に小径にすることにより、このスクリュー羽根軸の全体を同じ直径にした場合よりも、スクリュー羽根軸の先端を扱室内の扱胴に対してより近づけることができて、前記した効果をより助長できると共に、スクリュー羽根軸に接触する穀粒が遠心力で周囲に振り飛ばされるのを確実に低減できる。
【００１４】
また、請求項５に記載したように、前記スクリュー羽根軸を、前記扱胴の軸線方向から見て、これに接触する前記穀稈の穂先を前記穀稈供給ガイド板に対して押さえる方向に回転することにより、二番物及び穀稈の穂先が前記スクリュー羽根軸に接触することによる穀粒の周囲への飛散を少なくできると共に、穀稈の穂先に付着する藁屑を穂先から前記スクリュー羽根軸にて積極的にすることができる利点がある。
【００１５】
【発明の実施の形態】
以下、本発明の実施の形態を図面について説明する。
【００１６】
図１は、コンバインを示し、このコンバインは、走行クローラ１にて支持した車体フレーム２と、この車体フレーム２の上面に搭載した脱穀機３と、前記車体フレーム２の全部に装着した穀稈刈取搬送装置４とから成り、この穀稈刈取搬送装置４にて圃場から刈り取った穀稈を、フィードチエン５にて矢印Ａで示すように後方に移送して前記脱穀機３に送り込むことによって脱穀し、脱穀後の穀稈を排藁チエン６にて更に後方に移送したのち、カッター機構７にて細かい藁屑に切断する。
【００１７】
前記脱穀機３は、図２に示すように構成されている。
【００１８】
すなわち、この脱穀機３における本体ケース８内には、前面板９ａと後面板９ｂとによって扱室９が形成され、この扱室９内には、外周面に無数の扱歯１０ｂを突設して成る扱胴１０が、その軸線１０ａを前記フィードチエン５による穀稈の移送方向に沿って延びるようにして装架され、この扱胴１０は、図示しない動力源により、矢印Ｃで示すように、前方方向から見て時計方向に回転駆動され、また、前記扱室９内の下部には、クリンプ網１１が、前記扱胴１０の略下半分を囲うように設けられている。
【００１９】
また、前記本体ケース７内における扱室８より下方には、従来から良く知られているように、フィードパン１２ａ、チャフシーブ１２ｂ及びグレンシーブ１２ｃを備えた揺動式の選別機構１２が、この選別機構１２の下方には、唐箕フアン１３、回転するスクリュー羽根軸１４ａを備えた一番物受け樋１４及び同じく回転するスクリュー羽根軸１５ａを備えた二番物受け樋１５が並設されている。且つ、前記扱室９の後方の部位には、この扱室９からの送出される排塵物を脱穀処理するための排塵処理胴２３と、前記選別機構１２からの排塵を機外に放出するための排塵吸引フアン１６とが設けられている。
【００２０】
更にまた、前記扱室９における前面板９ａの下部には、前記フィードチエン５にて後方に移送される穀稈を、上面を滑らせながら前記扱室９内に、当該扱室９内への穀稈入り口１７より、扱胴１０に対して下扱き式に導入するための穀稈供給ガイド板１８が設けられている。
【００２１】
前記脱穀機３には、その本体ケース７を挟んで前記フィードチエン５と反対側に、前記二番物受け樋１５内の二番物を移送するための二番物移送手段１９が、前方向に延びるように設けられている。
【００２２】
この二番物移送手段１９は、前記扱胴１０における軸線１０ａと略平行に延びるパイプ体１９ａと、このパイプ体１９ａ内に挿入した回転するスクリュー羽根軸１９ｂとにより、スクリューコンベアに構成され、そのパイプ体１９ａ内のスクリュー羽根軸１９ｂを、前記二番物受け樋１５内におけるスクリュー羽根軸１５ａからの動力伝達にて、前方から見て、矢印Ｄで示すように、反時計方向に回転駆動することにより、前記二番物受け樋１５内の二番物を当該二番物移送手段１９の終端部に向かって移送するように構成されている。
【００２３】
そして、前記二番物移送手段１９を、その終端の吐き出し口１９′が前記扱室９への穀稈供給ガイド板１８の前方上方の部位に位置するように延長して、この終端の吐き出し口１９′に、当該吐き出し口１９′から送り出される二番物を受け継ぎ、これを、矢印Ｂで示すように、前記二番物移送手段１９の移送方向と逆の方向、つまり、前記フィードチエン５による穀稈の移送方向に移送するようにした二番物送り込み移送手段２０を接続し、この二番物送り込み手段２０を、前記穀稈供給ガイド板１８に向かって斜め下向きに角度θだけ傾斜して、この終端を、前記穀稈供給ガイド板１８の上面を介して扱室９への穀稈入り口１７にのぞませるように構成する。
【００２４】
この二番物送り込み移送手段２０は、前記穀稈供給ガイド板１８の上面のうち、前記フィードチエン５にて移送される穀稈の穂先側の部位に設けられ、パイプ体２０ａと、このパイプ体２０ａ内にスクリュー羽根軸２０ｂとにより、スクリューコンベアに構成され、そのスクリュー羽根軸２０ｂは、前記二番物移送手段１９におけるスクリュー羽根軸１９ｂからの歯車ケース２１内の傘歯車対２２を介しての動力伝達にて、前方から見て、矢印Ｅで示すように、時計方向に回転駆動することにより、前記二番物移送手段１９から受け継いだ二番物を矢印Ｂで示す方向に移送するように構成されている。
【００２５】
また、前記二番物送り込み移送手段２０におけるスクリュー羽根軸２０ｂの終端の部分、つまり終端部２０ｂ′を、前記パイプ体２０ａの終端から突出し、この終端部２０ｂ′の直径をＤ０からＤ１に縮小する先細のテーパ状に構成する一方、前記パイプ体２０ａの終端の一部に、前記スクリュー羽根軸２０ｂを露出するための切欠部２０ａ′を設けて、前記スクリュー羽根軸２０ｂに、前記フィードチエン５にて移送される穀稈における穂先が接触するように構成する。
【００２６】
この構成において、フィードチエン５にて移送される穀稈は、穀稈供給ガイド板１８の上面を滑りながら穀稈入り口１７から扱室９内に、回転する扱胴１０に対して下扱式に入り、この扱胴１０にて脱穀され、この脱穀後の排藁は、前記フィードチエン５から排藁チエン６に受け継れたのち、カッター機構７に送られ、ここで細かく切断される。
【００２７】
一方、前記扱室９内における脱穀物の一部は、クリンプ網１１より揺動式の選別機構１２に落下して、ここで一番物が一番物受け樋１４内に、二番物が二番物受け樋１５内に各々入るように選別される。
【００２８】
前記二番物受け樋１５内に入った二番物は、この二番物受け樋１５内から二番物移送手段１９及び二番物送り込み移送手段２０により、前記扱室９内への穀稈供給ガイド板１８の上面に搬送され、前記穀稈供給ガイド板１８の上面を滑り移動する穀稈と一緒に扱室９内に送り込まれて、扱胴１０にて再度脱穀処理される。
【００２９】
このように二番物受け樋１５内の二番物を、二番物送り込み移送手段１９にて扱室９内に、当該扱室９内への穀稈入り口１７から送り込むことができるから、この二番物を扱室内に還元することを円滑に確実に行うことができると共に、二番物の扱室内への還元に際して二番物による詰まりが発生するおそれを低減できる。
【００３０】
しかも、前記二番物を、扱室９内への穀稈入り口１７に還元するもので、この扱室９内への穀稈入り口１７は、扱室９からの排塵口から遠い箇所に位置していることにより、二番物の処理を、前記従来のように、そのための処理胴を扱胴とは別に設けることなく、脱穀のための扱胴を利用して確実に行うことができる。
【００３１】
更に、前記二番物送り込み移送手段２０を、穀稈供給ガイド板１８における上面のうちフィードチエン５にて移送される穀稈の穂先側の部位に設けたことにより、フィードチエン５にて扱室９内に移送される穀稈の穂先から分かれた藁屑等を、前記二番物送り込み移送手段２０にて、二番物と一緒に扱室内に送り込むことができるから、前記穀稈供給ガイド板１８の上面に、穀稈の穂先から分かれた藁屑等が堆積することを確実に防止できる。
【００３２】
一方、前記二番物受け樋１５から二番物移送手段１９にて移送されて来る二番物を、この二番物移送手段１９の終端の吐き出し口１９′から前記二番物送り込み移送手段２０に受け継ぐに際しては、前記二番物送り込み手段２０における前記二番物移送手段１９の終端に対する接続部を、前記二番物移送手段１９の終端と略同じ高さの部位に位置するか、或いは、前記二番物移送手段１９の終端より適宜高さＨだけ低い部位に位置する。
【００３３】
これにより、前記二番物移送手段１９の終端の吐き出し口１９′から排出される二番物は、これと略同じ高さか、これより低い二番物送り込み手段２０に向かって容易に流れることになるから、前記した二番物の受け継ぎを、確実、且つ、円滑に行うことができ、この部分に詰まりが発生することを低減できる。
【００３４】
また、二番物送り込み手段２０を、スクリューコンベアにして、そのスクリュー羽根軸２０ａに、フィードチエン５にて移送される穀稈における穂先が接触するように構成したことにより、フィードチエンにて移送される穀稈の穂先を、前記二番物送り込み手段によっても、扱室の方向に移送することができる。
【００３５】
更にまた、前記スクリュー羽根軸２０ａの先端部の直径を、Ｄ０からＤ１に縮小した先細テーパ状にすることにより、このスクリュー羽根軸２０ａの全体を同じ直径にした場合よりも、スクリュー羽根軸２０ａの先端を扱室９内の扱胴１０に対してより近づけることができると共に、スクリュー羽根軸に接触する穀粒が遠心力で周囲に振り飛ばされるのを低減できる。
【００３６】
加えて、前記スクリュー羽根軸２０ａを、前記扱胴１０の軸線方向から見て、矢印Ｅで示すように、時計方向、つまり、当該スクリュー羽根軸２０ａに対して前記穀稈の穂先を前記穀稈供給ガイド板１８に対して押さえる方向に回転することにより、二番物及び穀稈の穂先が前記スクリュー羽根軸に接触することによる穀粒の周囲への飛散を少なくできる。
【図面の簡単な説明】
【図１】コンバインの側面図である。
【図２】本発明の実施の形態による脱穀機の縦断正面図である。
【図３】図２のIII −III 拡大平断面である。
【図４】二番物移送手段と二番物送り込み移送手段とを示す拡大図である。
【符号の説明】
３                    脱穀機
５                    フィードチエン
９                    扱室
１０                  扱胴
１２                  選別機構
１５                  二番物受け樋
１７                  穀稈入り口
１８                  穀稈供給ガイド板
１９                  二番物移送手段
２０                  二番物送り込み移送手段
２０ａ                スクリュー羽根軸
２０ｂ                パイプ体
【図１】
0004424635.tif 000002
【図２】
0004424635.tif 000003
【図３】
0004424635.tif 000004
【図４】
0004424635.tif 000005